(57)【要約】【課題】転送データ容量の制限を回避しつつ、容易な操作で異なる通信端末装置間でデータ転送を行うこと。【解決手段】ＩＣカード脱離検知部１０３により、ＩＣカードが自装置から取り外されたと検知された場合に、送信側スタンバイ制御部１０４は、ユーザデータ記憶部１０１に記憶されたユーザデータを送信する準備状態である送信スタンバイモードに移行して、ＩＣカードが次に装着された通信端末装置２００からの受信準備が完了したことを示す呼出しメッセージが通知されるまで待機し、送信側セッション確立部１０５は、呼出しメッセージを受信した場合に、通信端末装置２００との間のセッションを確立し、ユーザデータ送信部１０６は、当該セッションを介して、通信端末装置２００に、通信端末装置１００に格納されるアプリケーションデータであるユーザデータを転送する。【選択図】図３
2009124429.tif 000002
【特許請求の範囲】
【請求項１】
データを格納する記憶手段と、
固有ＩＤ情報を格納するＩＣカードの着脱を検出する第１の検出手段と、
前記第１の検出手段が、前記ＩＣカードが取り外されたことを検出した場合に、前記データを送信する準備状態である送信スタンバイモードに移行するスタンバイ制御手段と、を有する第１の通信端末装置と、
固有ＩＤ情報を格納するＩＣカードの着脱を検出する第２の検出手段と、
前記第２の検出手段が、前記ＩＣカードが装着されたことを検出した場合に、前記第１の通信端末装置に対し、データ送信開始の指示信号を送信する受信スタンバイ通知手段と、を有する第２の通信端末装置と、を具備し、
前記第１の通信端末装置は、前記送信スタンバイモードのときに、前記指示信号を受信した場合に、前記記憶手段に格納される前記データを前記第２の通信端末装置に送信する、
通信システム。
【請求項２】
データを格納する記憶手段と、
固有ＩＤ情報を格納するＩＣカードの着脱を検出する検出手段と、
前記検出手段が、前記ＩＣカードが取り外されたことを検出した場合に、前記データを送信する準備状態である送信スタンバイモードに移行するスタンバイ制御手段と、
前記送信スタンバイモードのときに、データ送信開始の指示信号を他の通信端末装置から受信した場合に、前記記憶手段に格納される前記データを前記他の通信端末装置に送信する送信手段と、を具備する、
通信端末装置。
【請求項３】
前記ＩＣカードに自装置を識別する端末情報を格納する端末情報書き込み手段、をさらに具備する、
請求項２に記載の通信端末装置。
【請求項４】
前記端末情報は、前記データを転送する通信方式の種類を示す通信方式情報及び／又は前記データを転送するために必要な情報を含む、
請求項３に記載の通信端末装置。
【請求項５】
自装置の所在位置の座標情報を取得する方位検出手段、をさらに具備し、
前記端末情報は、前記座標情報を含む、
請求項３に記載の通信端末装置。
【請求項６】
前記端末情報書込み手段は、前記ＩＣカードが自装置に装着されたことを契機として前記ＩＣカードに前記端末情報を格納する、
請求項３に記載の通信端末装置。
【請求項７】
前記端末情報書込み手段は、自装置に関する情報が設定又は更新されたタイミングで、前記ＩＣカードに前記端末情報を格納する、
請求項３に記載の通信端末装置。
【請求項８】
自装置の所在位置の座標情報を取得する方位検出手段、をさらに具備し、
前記スタンバイ制御手段は、前記座標情報が設定された範囲内の場合に、前記送信スタンバイモードに移行する、
請求項２に記載の通信端末装置。
【請求項９】
前記送信手段は、所定時間内に前記指示信号を受信した場合に、前記データを送信する、
請求項２に記載の通信端末装置。
【請求項１０】
固有ＩＤ情報を格納するＩＣカードの着脱を検出する検出手段と、
前記検出手段が、前記ＩＣカードが装着されたことを検出した場合に、データ送信開始の指示信号を送信する受信スタンバイ通知手段と、を具備する、
通信端末装置。
【請求項１１】
自装置の所在位置の座標情報を取得する方位検出手段、をさらに具備し、
前記受信スタンバイ通知手段は、前記座標情報が設定された範囲内の場合に、前記指示信号を送信する、
請求項１０に記載の通信端末装置。
【請求項１２】
前記受信スタンバイ通知手段は、ユーザが前記データの受信を希望した場合に、前記指示信号を通知する、
請求項１０に記載の通信端末装置。
【請求項１３】
前記ＩＣカードから、前記ＩＣカードが装着されていた他の通信端末装置に関する端末情報を読み込むＩＤ情報読込み手段、をさらに具備する、
請求項１０に記載の通信端末装置。
【請求項１４】
前記端末情報は、前記他の通信端末装置の座標情報を含み、
前記受信スタンバイ通知手段は、前記座標情報と、前記他の通信端末装置の座標情報との値の差異が設定された範囲内の場合に、前記指示信号を通知する、
請求項１３に記載の通信端末装置。
【請求項１５】
前記端末情報は、前記データを転送する通信方式の種類を示す通信方式情報及び／又は前記データを転送するために必要な情報を含み、
前記受信スタンバイ通知手段は、前記端末情報に基づいて前記指示信号を通知する、
請求項１３に記載の通信端末装置。
【請求項１６】
データを送信する第１の通信端末装置とデータを受信する第２の通信端末装置とを有する通信システムにおけるデータ転送方法であって、
前記第１の通信端末装置が、データを格納するステップと、
前記第１の通信端末装置が、固有ＩＤ情報を格納するＩＣカードの着脱を検出するステップと、
前記第１の通信端末装置が、前記ＩＣカードが取り外されたことを検出した場合に、前記データを送信する準備状態である送信スタンバイモードに移行するステップと、
前記第２の通信端末装置が、前記ＩＣカードの着脱を検出するステップと、
前記第２の通信端末装置が、前記ＩＣカードが装着されたことを検出した場合に、前記第１の通信端末装置に対し、データ送信開始の指示信号を送信するステップと、
前記第１の通信端末装置が、前記送信スタンバイモードのときに、前記指示信号を受信した場合に、格納された前記データを前記第２の通信端末装置に送信するステップと、
を有するデータ転送方法。
【発明の詳細な説明】
【技術分野】
【０００１】
本発明は通信システム、通信端末装置、及びデータ転送方法に関し、特に、携帯電話機やＰＤＡ（Personal Digital Assistant）等間でデータ転送を行う通信システム、通信端末装置、及びデータ転送方法に関する。
【背景技術】
【０００２】
近年、携帯電話機やＰＤＡ（Personal Digital Assistant）等の通信端末装置が急速に普及しつつある。また、新機種が短期間に開発／発売され、新機種への買い替えを行う機会も増えている。
【０００３】
ユーザには、今まで使用していた通信端末装置で使用していた電話帳、メール本体、辞書、ブックマーク、キャッシュデータ、ユーザインタフェースで使用されるデータ、マルチメディアデータ、後にインストールされたソフトウェア（Ｊａｖａ（登録商標）アプリケーションやダウンロードしたネイティブアプリケーション等）、ユーザが作成もしくは受領したデータ等のソフトウェア及びデータ（以降、これらデータ等を「ユーザデータ」という）を新しい通信端末装置でも使用したいというニーズが存在する。
【０００４】
また、ユーザが複数台の通信端末装置を所有し、場所や時間に応じて、これら通信端末装置を使い分けるケースが今後想定され、新機種への買い替え以外の場面においても、通信端末装置に格納された上記ユーザデータを他の通信端末装置に転送したいというニーズが発生すると推測される。
【０００５】
現状、そのようなソフトウェア及びデータを新機種へ転送するためには、販売店で転送処理を行うか、特殊なパーソナルコンピュータ用のソフトウェアを使用して転送処理を行う必要がある。
【０００６】
従来のユーザデータの転送技術としては、携帯電話機に装着されたＳＩＭ（Subscriber Identity Module）カードにユーザデータを記憶させておき、新しい携帯電話機に当該ＳＩＭカードを装着して、ユーザデータを新しい携帯電話機に転送させるものがある（例えば、特許文献１参照）。
【０００７】
また、特許文献２には、携帯型ストレージにユーザデータを格納しておき、携帯型ストレージを端末装置に装着して、ストレージから端末装置にユーザデータをインストールし、端末装置にそのソフトウェア環境を構築することによって、異なる端末装置でも同じ環境で作業できるようにする方法が開示されている。この場合、携帯型ストレージに格納されたユーザデータを端末装置が接続しているインターネット経由で更新することもできる。  
【特許文献１】特開平１１−２６１６８６号公報
【特許文献２】特開２００６−２５２５４７号公報
【発明の開示】
【発明が解決しようとする課題】
【０００８】
しかしながら、ＳＩＭカードに格納できるユーザデータの種類や容量には制限があり、特許文献１に開示される方法では、大きなサイズのユーザデータを転送させることは困難である。
【０００９】
また、特許文献２の場合も、結局、携帯型ストレージ中にユーザデータを格納するので、特許文献１と同様に、携帯型ストレージの容量によっては、大きなサイズのユーザデータは使用できない等の制限を受けてしまう。
【００１０】
本発明はかかる点に鑑みてなされたものであり、転送データ容量の制限を回避しつつ、容易な操作で異なる通信端末装置間でデータ転送を行うことができる通信システム、通信端末装置、及びデータ転送方法を提供することを目的とする。
【課題を解決するための手段】
【００１１】
かかる課題を解決するため、データを格納する記憶手段と、固有ＩＤ情報を格納するＩＣカードの着脱を検出する第１の検出手段と、前記第１の検出手段が、前記ＩＣカードが取り外されたことを検出した場合に、前記データを送信する準備状態である送信スタンバイモードに移行するスタンバイ制御手段と、を有する第１の通信端末装置と、固有ＩＤ情報を格納するＩＣカードの着脱を検出する第２の検出手段と、前記第２の検出手段が、前記ＩＣカードが装着されたことを検出した場合に、前記第１の通信端末装置に対し、データ送信開始の指示信号を送信する受信スタンバイ通知手段と、を有する第２の通信端末装置と、を具備し、前記第１の通信端末装置は、前記送信スタンバイモードのときに、前記指示信号を受信した場合に、前記記憶手段に格納される前記データを前記第２の通信端末装置に送信する、構成を採る。
【００１２】
この構成によれば、ユーザ固有のＩＤ情報が格納されたＩＣカードを装着することにより事業者網との通信が可能となる携帯電話機やＰＤＡ等などにおいて、使用する通信端末装置を切り替える場合に一般的に行なわれる、ＩＣカードの抜き差しという通常の操作に付随して、特別な操作を伴うことなく、ＩＣカードが取り外された通信端末装置に格納されるアプリケーションデータであるユーザデータを、ＩＣカードが装着された通信端末装置に転送することができるので、これまで使用していた通信端末装置に格納されているユーザデータを、今後使用する通信端末装置でも引き続き使用することができ、通信端末装置を変更したことによる利便性の低下を回避することができる。
【発明の効果】
【００１３】
本発明によれば、容易な操作で異なる通信端末装置間でデータ転送を行うことができ、今まで使用してきた通信端末装置のデータを継承した通信端末装置を使用することができる。
【発明を実施するための最良の形態】
【００１４】
以下、本発明の実施の形態について、図面を参照して詳細に説明する。
【００１５】
（実施の形態１）
図１は、本発明の実施の形態１に係る通信システムの構成の一例を示す図である。通信システムは、通信端末装置１００及び通信端末装置２００を備えて構成される。通信端末装置１００，２００は、携帯電話又はＰＤＡ等、ユーザが携帯して使用する装置である。以下では、ユーザが、通信端末装置１００からＩＣカード１１０を取り外し、当該ＩＣカード１１０を通信端末装置２００に装着することにより、通信端末装置１００に代えて通信端末装置２００を使用して、事業者網にアクセスしようとする場合を例に説明する。上記操作にて、例えば、ＳＩＭカードを差し替えることにより、ユーザは、使用する携帯電話機を切り替えることができる。
【００１６】
ＩＣカード１１０には、ユーザを一意に示すユーザ情報が記憶されている。図２に、ユーザ情報３００の構成の一例を示す。図２に示すように、ユーザ情報３００は、例えば、電話番号３０１、ＩＣカード１１０自体の識別情報であるＩＣカードＩＤ情報３０２、及び事業者網側との認証に用いる暗号鍵情報３０３で構成され、これらの組み合わせによりＩＣカード１１０のユーザを一意に示す。
【００１７】
本実施の形態の通信システムでは、図１に示すように、通信端末装置１００からＩＣカード１１０が取り外され、通信端末装置２００に当該ＩＣカード１１０が装着されると、通信端末装置１００から通信端末装置２００に、ユーザデータが転送される。通信端末装置１００は、ユーザデータ転送元（送信側）となり、通信端末装置２００は、ユーザデータ転送先（受信側）となる。
【００１８】
ここで、ユーザデータとは、ユーザが通信端末装置１００に搭載されるアプリケーションを用いて作成・格納されるアプリケーションデータであり、例えば、電話帳、メール本体、辞書、ブックマーク、キャッシュデータ、ユーザインタフェースで使用されるデータ、マルチメディアデータ、後にインストールされたソフトウェア（Ｊａｖａ（登録商標）アプリケーションやダウンロードしたネイティブアプリケーション等）、ユーザが作成もしくは受領したデータ等のソフトウェア及びデータ等である。
【００１９】
（通信端末装置１００の構成）
図３は、本発明の実施の形態１におけるユーザデータ転送元（送信側）の通信端末装置の要部構成を示すブロック図である。
【００２０】
図３の通信端末装置１００は、ユーザデータ記憶部１０１、ユーザ情報記憶部１０２、ＩＣカード脱離検知部１０３、送信側スタンバイ制御部１０４、送信側セッション確立部１０５、及びユーザデータ送信部１０６を備え、通信端末装置１００は、ネットワーク群１１０ａ〜１１０ｃに接続されている。
【００２１】
ネットワーク群１１０ａ〜１１０ｃは、例えば、赤外線、Bluetooth、ＲＦＩＤ（Radio Frequency Identification）通信、無線ＬＡＮ（Local Area Network）等の通信網を示す。
【００２２】
また、通信端末装置１００は、実施の形態によっては、方位検出部１０７、又はワイヤレス電力受給部１０８を備える。
【００２３】
ユーザデータ記憶部１０１は、上記ユーザデータを記憶する。
【００２４】
ユーザ情報記憶部１０２は、ＩＣカード１１０に記憶されているユーザ情報３００を読み込み、自身の領域に記憶する。ユーザ情報３００は、上述したように、ＩＣカード１１０のユーザを一意に示す情報である。
【００２５】
図４は、ユーザ情報記憶部１０２の動作の一例を示すフローチャートである。図中、ＳＴはフローの各ステップを示す（以下同様）。通信端末装置１００に装着されたＩＣカード１１０（図示せず）からユーザ情報３００を読み込み（ＳＴ１０１）、記憶する（ＳＴ１０２）。
【００２６】
ＩＣカード脱離検知部１０３は、通信端末装置１００からＩＣカード１１０が取り外されたことを検知する。検知方法は、特に限定されず、一般的にデバイスの取り外しを検知するのに用いられる手法を用いればよい。図５は、ＩＣカード脱離検知部１０３の動作の一例を示すフローチャートである。ＩＣカード脱離検知部１０３は、通信端末装置１００からＩＣカード１１０が外されたことを検知すると（ＳＴ２０１）、バッテリーが装着される等によって、電力が供給されるまで待機し（ＳＴ２０２）、電源が供給されると、送信側スタンバイ制御部１０４に処理を移行する（ＳＴ２０３）。
【００２７】
なお、一般に、ＳＩＭカードなどでは、確実にＳＩＭカードの電源を切る為に、カードの抜き差しの前に携帯電話機の電源をオフにする必要があるため、多くの携帯電話機では、電池を取り外さないとＳＩＭカードの抜き差しができないような構造になっている。この場合には、ＩＣカード脱離検知部１０３は、電源切断時にＩＣカード１１０の着状態を検知し、電源投入時にＩＣカード１１０の脱状態を検知した場合に、ＩＣカード１１０が取り外されたと検知する。なお、通信端末１００がワイヤレス電力受給部１０８を具備する場合、外部からのワイヤレス電力供給によって、ＳＴ２０２からＳＴ２０３に遷移するようにしてもよい。
【００２８】
送信側スタンバイ制御部１０４は、通信端末装置１００が保有する、赤外線、Bluetooth、ＲＦＩＤ通信、無線ＬＡＮ等のユーザデータ送信に用いることが可能な通信準備を行うと供に、ユーザデータ転送先（受信側）の通信端末装置２００からの呼出しメッセージを待機する（送信スタンバイモード）。図６は、送信側スタンバイ制御部１０４の動作の一例を示すフローチャートである。送信側スタンバイ制御部１０４は、ユーザデータ転送先（受信側）の通信端末装置２００からの呼出しメッセージを待ち（ＳＴ３０１）、呼出しメッセージを受信すると、送信側セッション確立部１０５に処理を移行する（ＳＴ３０２）。また、送信側スタンバイ制御部１０４は、事前に設定された待機時間を経過した場合（ＳＴ３０３）、全ての処理を中断・終了してもよい（ＳＴ３０４）。なお、ＳＴ３０４において、通信端末装置１００がユーザにＩＣカード１１０の差替え直し（再度、ユーザデータ転送元（送信側）の通信端末装置１００にＩＣカード１１０を装着し、通信端末装置１００からＩＣカード１１０を取り外して、ユーザデータ転送先（受信側）の通信端末装置２００にＩＣカード１１０を装着する行為）を促す表示を行うようにしても良い。このようにすることで、通信端末装置１００，２００間の通信状態が良好でないような場合に、待機し続けて無駄に電力を消費するのを回避することができる。
【００２９】
また、通信端末装置１００が方位検出部１０７を具備する場合、方位検出部１０７が取得した座標情報の値がユーザ等に設定された所定のエリア範囲内の値でなければ、送信スタンバイモードに移行しないようにしても良い。このようにすることで、ユーザはユーザデータ転送を行う場所を限定することができるので、より安全なユーザデータ転送が可能になる。
【００３０】
送信側セッション確立部１０５は、送信側スタンバイ制御部１０４が呼出しメッセージを受信した通信方式を用いて、認証処理や、通信端末装置２００に転送するユーザデータの種類の確認処理を行う。なお、送信側セッション確立部１０５は、通信端末装置１００のユーザ情報記憶部１０２が記憶しているユーザ情報３００と、ユーザデータ転送先（受信側）の通信端末装置２００からの呼出しメッセージやセッション確立を介して通知されたユーザ情報とを比較して、認証処理もしくは認証処理の一部を行うようにしても良い。ＩＣカード１１０を経由して通信端末装置１００から通信端末装置２００へユーザ情報を通知することができるので、記憶しているユーザ情報３００と、通知されたユーザ情報とを比較して認証処理等を行うようにすることにより、同一のＩＣカード１１０が脱離・装着された通信端末装置同士でユーザデータの伝送が行われることが保証され、より安全なユーザデータ転送が可能になる。
【００３１】
ユーザデータ送信部１０６は、通信端末装置２００に対し、送信側セッション確立部１０５における転送するユーザデータの種類の確認処理結果に基づき、ユーザデータを送信し、通信端末装置２００にユーザデータを転送する。
【００３２】
（通信端末装置２００の構成）
図７は、実施の形態１におけるユーザデータ転送先（受信側）の通信端末装置２００の要部構成を示すブロック図である。図７の通信端末装置２００は、ＩＣカード装着検知部２０１、ＩＤ情報読込み部２０２、スタンバイ通知部２０３、受信側セッション確立部２０４、及びユーザデータ受信部２０５を備え、ネットワーク群１１０ａ〜１１０ｃに接続されている。また、通信端末装置２００は、送信側の通信端末装置１００と同様に、実施の形態によっては方位検出部２０６を備える。
【００３３】
ＩＣカード装着検知部２０１は、通信端末装置２００にＩＣカード１１０が装着されたことを検知する。検知方法は、特に限定されず、一般的にデバイスの装着を検知するのに用いられる手法を用いればよい。
【００３４】
ＩＤ情報読込み部２０２は、ＩＣカード装着検知部２０１によって、ＩＣカード１１０が通信端末装置２００に装着されたと検知されると、ＩＣカード１１０に記憶されているユーザ情報３００を読み込み、自身の領域に記憶する。
【００３５】
図８は、ＩＣカード装着検知部２０１及びＩＤ情報読込み部２０２の動作の一例を示すフローチャートである。ＩＣカード装着検知部２０１が、通信端末装置２００にＩＣカード１１０が装着されたことを検知すると（ＳＴ４０１）、ＩＤ情報読込み部２０２は、ＩＣカード１１０からユーザ情報３００を読み込み、記憶する（ＳＴ４０２）。
【００３６】
ＩＤ情報読込み部２０２は、ＩＣカード１１０からユーザ情報３００を読み込み、記憶すると、スタンバイ通知部２０３に処理を移行する。
【００３７】
なお、ＩＤ情報読込み部２０２は、方位検出部２０６が取得した座標情報の値が、ユーザ等が設定した所定のエリア範囲内の値でなければスタンバイ通知部２０３に処理を移行しないようにしても良い。このようにすることで、ユーザデータ転送を行うエリア領域に制限を設け、より安全なユーザデータ転送が可能になる。
【００３８】
スタンバイ通知部２０３は、通信端末装置１００に対し通信端末装置２００が具備する通信方式を用いて呼出しメッセージを通知する。なお、スタンバイ通知部２０３は、ユーザデータ転送元（送信側）の通信端末装置１００に対してワイヤレス電力供給を行う動作をするようにしても良い。
【００３９】
また、スタンバイ通知部２０３は、呼出しメッセージにユーザ情報及び／又は通信端末装置２００の端末情報を含ませて送信側の通信端末装置１００に通知するようにしても良いし、受信側セッション確立部２０４が、セッション確立した時に送信側の通信端末装置１００にユーザ情報及び／又は端末情報を通知するようにしても良い。
【００４０】
受信側セッション確立部２０４は、ユーザデータの受信を行うために、ユーザデータ転送元（送信側）の通信端末装置１００の送信側セッション確立部１０５との間でセッションの確立を行う。
【００４１】
ユーザデータ受信部２０５は、確立したセッションを介して、送信側の通信端末装置１００のユーザデータ送信部１０６から送信されるユーザデータを受信する。そして、ユーザデータ受信部２０５は、ユーザデータを通信端末装置２００のファイルシステム等に格納する。
【００４２】
以下、上述のように構成された通信端末装置１００及び通信端末装置２００の動作について説明する。
【００４３】
通信端末装置１００にＩＣカード１１０が装着されている場合、ユーザ情報記憶部１０２によって、ＩＣカード１１０に記憶されているユーザ情報３００が読み込まれ、自身の領域に記憶される。
【００４４】
ユーザがＩＣカード１１０を通信端末装置１００から取り外し、当該ＩＣカード１１０を通信端末装置２００に装着した場合に、ＩＣカード脱離検知部１０３によって、通信端末装置１００からＩＣカード１１０が取り外されたことが検知され、バッテリーが装着される等によって、自装置に電力が供給されると、送信側スタンバイ制御部１０４は、通信端末装置１００が保有する通信方式による通信準備を行うと供に、ユーザデータ転送先（受信側）の通信端末装置２００から呼出しメッセージが通知されるのを待機する（送信スタンバイモード）。このようにして、通信端末装置１００は、通信端末装置１００からＩＣカード１１０が取り外されたことをトリガにして、送信スタンバイモードに移行する。
【００４５】
ユーザにより通信端末装置１００から取り外されたＩＣカード１１０が、通信端末装置２００に装着され、ＩＣカード装着検知部２０１によって、ＩＣカード１１０が通信端末装置２００に装着されたことが検知されると、ＩＤ情報読込み部２０２では、当該ＩＣカード１１０からユーザ情報３００が読み込まれ、自身に記憶される。そして、送信側の通信端末装置１００に対して通信端末装置２００が具備する通信方式が用いられて、スタンバイ通知部２０３から呼出しメッセージが通知される。このようにして、通信端末装置２００は、通信端末装置２００にＩＣカード１１０が装着されたことをトリガにして、呼出しメッセージを通信端末装置１００に通知する。
【００４６】
送信スタンバイモードにおいて、通信端末装置２００からの呼出しメッセージが受信されると、送信側セッション確立部１０５では、呼出しメッセージを受信した通信方式が用いられて、認証処理や、通信端末装置２００に転送するユーザデータの種類の確認処理が行われ、送信側スタンバイ制御部１０４と受信側セッション確立部２０４との間のセッションが確立される。
【００４７】
そして、確立したセッションを介して、ＩＣカード１１０が装着された通信端末装置２００のユーザデータ受信部２０５によって、送信側の通信端末装置１００のユーザデータ送信部１０６から送信されるユーザデータが受信され、当該ユーザデータが通信端末装置２００のファイルシステム等に格納される。
【００４８】
以上のように、本実施の形態によれば、通信端末装置１００のＩＣカード脱離検知部１０３により、ＩＣカード１１０が自装置から取り外されたと検知された場合に、送信側スタンバイ制御部１０４は、ユーザデータ記憶部１０１に記憶されたユーザデータを送信する準備状態である送信スタンバイモードに移行して、ＩＣカード１１０が装着された通信端末装置２００から、通信端末装置２００の受信準備が完了したことを示す呼出しメッセージが通知されるまで待機し（送信スタンバイモード）、送信側セッション確立部１０５は、送信スタンバイモードにおいて、呼出しメッセージを受信した場合に、自装置とＩＣカード１１０が現在装着されている通信端末装置２００との間のセッションを確立し、ユーザデータ送信部１０６は、当該セッションを介して、ＩＣカード１１０が現在装着されている通信端末装置２００に、通信端末装置１００に格納されるアプリケーションデータであるユーザデータを転送するようにした。
【００４９】
また、通信端末装置２００のＩＣカード装着検知部２０１により、ＩＣカード１１０が自装置に装着されたと検知された場合に、スタンバイ通知部２０３は、通信端末装置１００に、データ送信開始の指示信号である呼出しメッセージを送信するようにした。
【００５０】
これにより、ユーザは、通信端末装置１００に装着されていたＩＣカード１１０を通信端末装置２００に差し替えるという、通信端末装置を切り換える場合に通常行う操作に付随させて、特別な操作を伴うことなく、ＩＣカード１１０の抜き差しをトリガにして、ＩＣカード１１０が取り外された通信端末装置１００に格納されるユーザデータを、ＩＣカード１１０が装着された通信端末装置２００に転送することができるので、今まで使用してきた通信端末装置１００のユーザデータを継承した通信端末装置２００を使用することができ、通信端末装置を変更したことによる利便性の低下を回避することができる。
【００５１】
（実施の形態２）
（通信端末装置４００の構成）
本発明の実施の形態２に係る通信システムは、通信端末装置４００及び通信端末装置６００を備えて構成される。
【００５２】
図９は、本発明の実施の形態２におけるユーザデータ転送元（送信側）の通信端末装置４００の要部構成を示すブロック図である。図９において、図３と同じ構成要素については同じ符号を用い、説明を省略する。通信端末装置４００は、通信端末装置１００に対し、ＩＣカード脱離検知部１０３に代えてＩＣカード着脱検知部４０２を備え、端末情報記憶部４０１、及び端末情報書込み部４０３をさらに追加した構成を採る。
【００５３】
端末情報記憶部４０１は、端末情報５００を記憶する。ここで、端末情報５００とは、通信端末装置を一意に示す情報であり、例えば通信端末装置のＩＤ等である。図１０に、端末情報５００の一例を示す。図１０の端末情報５００は、端末ＩＤ５０１で構成される。端末ＩＤ５０１としては、ユーザデータ転送に使用する通信デバイスのＩＤでも良く、アドレス情報や暗号鍵情報等でも良い。例えば、Bluetoothの場合は、デバイスアドレスや正式なリンクキー等でも良い。
【００５４】
ＩＣカード着脱検知部４０２は、ＩＣカード脱離検知部１０３と同様に、通信端末装置１００からＩＣカード１１０が取り外されたことを検知するのに加え、ＩＣカード１１０が装着されたことを検知する。検知方法は、特に限定されず、一般的にデバイスの着脱を検知するのに用いられる手法を用いればよい。
【００５５】
端末情報書込み部４０３は、通信端末装置４００にＩＣカード１１０が装着されると、端末情報記憶部４０１から端末情報５００を取得し、取得した端末情報５００をＩＣカード１１０に書き込む。
【００５６】
図１１は、ＩＣカード着脱検知部４０２及び端末情報書込み部４０３の動作の一例を示すフローチャートである。ＩＣカード着脱検知部４０２が、通信端末装置４００にＩＣカード１１０が装着されたことを検知すると（ＳＴ５０１）、端末情報書込み部４０３は、端末情報記憶部４０１から端末情報５００を取得する（ＳＴ５０２）。そして、端末情報書込み部４０３は、端末情報５００をＩＣカード１１０に書き込む（ＳＴ５０３）。
【００５７】
なお、ＩＣカード着脱検知部４０２が、通信端末装置４００からＩＣカード１１０が取り外されたことを検知した場合の動作は、ＩＣカード脱離検知部１０３の動作と同様であるので、説明を省略する。
【００５８】
また、図１２に示すように通信方式に関する情報５０２、及び転送ユーザデータ情報や、図１３に示すように座標情報５０３を端末情報５００に含ませても良い。さらには、端末情報５００にユーザデータ転送の有効期限に関する情報を含ませても良い。有効期限を過ぎた場合は、全ての処理を中断・終了し、ユーザにＩＣカード１１０の差替え直しを促す表示を通信端末装置１００が行うようにしても良い。このようにすることで、ユーザデータ転送を行う期間に制限を設けることができ、より安全なユーザデータ転送が可能になる。
【００５９】
図１４は、端末情報書込み部４０３の別の動作の一例を示すフローチャートである。ＩＣカード着脱検知部４０２が、ＩＣカード装着を検知すると（ＳＴ６０１）、端末情報記憶部４０１から端末情報５００を取得し（ＳＴ６０２）、端末情報５００をＩＣカード１１０に書き込む（ＳＴ６０３）。その後、端末情報書込み部４０３は、設定された時間だけ待機し（ＳＴ６０４）、さらに、ＩＣカード着脱検知部４０２が、ＩＣカード１１０が装着されている状態を検知した場合（Ｓ６０５）、端末情報５００や座標情報５０３等を現時点の情報に更新し、端末情報記憶部４０１に更新された端末情報５００や座標情報５０３等の記憶を依頼する（ＳＴ６０６）。そして、端末情報書込み部４０３は、その端末情報５００等をＩＣカード１１０に書き込む（ＳＴ６０７）。
【００６０】
なお、ＳＴ６０４のステップは、時間による待機だけではなく、通信方式に関する情報５０２及び転送ユーザデータ情報や、座標情報５０３が更新されたことを契機に、以降のステップに移行するとしても良い。
【００６１】
（通信端末装置６００の構成）
図１５は、実施の形態２におけるユーザデータ転送先（受信側）の通信端末装置６００の要部構成を示すブロック図である。図１５において、図７と同じ構成要素については同じ符号を用い、説明を省略する。通信端末装置６００は、通信端末装置２００に対し、ＩＤ情報読込み部２０２及びスタンバイ通知部２０３に代えてＩＤ情報読込み部６０１及びスタンバイ通知部６０２を備えて構成される。
【００６２】
ＩＤ情報読込み部６０１は、ＩＣカード装着検知部２０１によって、ＩＣカード１１０が通信端末装置６００に装着されたと検知されると、ＩＣカード１１０に記憶されているユーザ情報３００及び／又は端末情報５００を読み込み、自身の領域に記憶する。上述したようにＩＣカード１１０には、ＩＣカード１１０が装着されていた通信端末装置４００の端末情報５００が格納されているので、自装置にＩＣカード１１０が装着されることにより、ＩＤ情報読込み部６０１は、通信端末装置４００の端末情報５００を入手することができる。ＩＤ情報読込み部６０１は、ＩＣカード１１０からユーザ情報３００及び／又は端末情報５００を読み込み、記憶すると、スタンバイ通知部６０２に移行し、送信スタンバイモードに移る。
【００６３】
なお、ＩＤ情報読込み部６０１は、方位検出部２０６が取得した座標情報の値が、ユーザ等が設定した所定のエリア範囲内の値でなければスタンバイ通知部６０２に処理を移行しないようにしても良い。このようにすることで、ユーザデータ転送を行うエリア領域に制限を設け、より安全なユーザデータ転送が可能になる。
【００６４】
また、ＩＤ情報読込み部６０１は、方位検出部２０６が取得した座標情報と、ＩＣカード１１０から取得した端末情報５００に含まれる座標情報５０３との値の差異が設定された範囲内でなければスタンバイ通知部６０２に処理を移行しないようにしても良い。このようにすることで、ユーザデータ転送元（送信側）の通信端末装置４００とユーザデータ転送先（受信側）の通信端末装置６００とが近接していないと、ユーザデータの転送を行えないようにすることができ、さらにより安全なユーザデータ転送が可能になる。
【００６５】
なお、ＩＤ情報読込み部６０１は、ユーザが通信端末装置６００のメニュー画面やボタン等で「ユーザデータの転送」を選択した場合に、ＩＣカード１１０からユーザ情報３００を読み込み、自身の領域に記憶するようにしても良い。図１６は、この場合のＩＤ情報読込み部６０１の動作を示すフローチャートである。ユーザが通信端末装置２００のメニュー画面やボタン等で「ユーザデータの転送」を選択した場合（ＳＴ７０１）に、ＩＣカード１１０からユーザ情報３００及び／又は端末情報５００を読み込み、自身の領域に記憶する（ＳＴ７０２）。このようにすることで、ユーザが希望するタイミングでユーザデータ転送を行うことができるようになる。
【００６６】
スタンバイ通知部６０２は、ユーザデータ転送に用いる通信方式を選択するための情報として、通信方式情報を管理し、当該通信方式情報に基づき通信方式を選択する。通信方式情報には、自装置が利用可能な通信方式に関する情報が必須情報として含まれている。さらに、通信方式情報は、通信方式を選択する際に利用可能な補助情報を含み、スタンバイ通知部６０２は、必須情報と補助情報とに基づいて通信方式を選択する。図１７に、通信方式情報の一例を示す。図１７に示されるように、通信方式情報は、例えば、自装置が利用可能な通信方式（必須情報）と、当該通信方式ごとの消費電力、転送速度、及び利用可能範囲等の補助情報とから構成される。
【００６７】
図１８は、スタンバイ通知部６０２の動作の一例を示すフローチャートである。取得した端末情報５００に通信端末装置４００の通信方式に関する情報５０２が含まれていれば、スタンバイ通知部６０２は、ユーザデータ転送元（送信側）の通信端末装置４００が具備する通信方式のうちから、ユーザデータの転送に最適な通信方式を選択する（ＳＴ８０１）。
【００６８】
以下、通信端末装置４００の通信方式に関する情報５０２と、自装置が利用可能な通信方式に関する情報との比較結果から、通信端末装置４００及び通信端末装置６００の双方が共に利用可能な通信方式が、赤外線及びBluetoothの場合を例に説明する。スタンバイ通知部６０２は、補助情報に基づいて、赤外線又はBluetoothのうちから最適な通信方法を決定する。上述したように、補助情報に、通信方式ごとの消費電力、転送速度、又は利用可能範囲等、各通信方式毎の特徴を示す情報を含むようにすることで、スタンバイ通知部６０２は、状況に応じて、最適な通信方式を選択することができる。
【００６９】
例えば、自装置が内蔵電源で動作していて消費電力をできるだけ抑えたいような場合には、スタンバイ通知部６０２は、補助情報に含まれる双方の消費電力を比較し、Bluetoothより消費電力が少ない赤外線通信を選択する。また、通信端末装置４００が自装置から離れている可能性がある場合において、位置に関わらず確実にユーザデータ転送を完了させたいような場合には、スタンバイ通知部６０２は、補助情報に含まれる双方の利用可能範囲を比較し、赤外線通信より利用可能範囲が広いBluetoothを選択する。
【００７０】
このようにして、スタンバイ通知部６０２は、通信方式情報に基づいてユーザデータ転送に用いる通信方式を選択し、送信側の通信端末装置４００に対して選択した通信方式で呼出しメッセージを通知する（ＳＴ８０２）。端末情報５００に通信端末装置４００の通信方式に関する情報５０２が含まれていない場合や、端末情報５００を取得していない場合は、スタンバイ通知部２０３と同様に、受信側の通信端末装置４００が具備する通信方式を用いて送信側に呼出しメッセージを通知する。
【００７１】
以上のように、本実施の形態によれば、ユーザデータ転送元（送信側）の通信端末装置４００の端末情報書込み部４０３が、ＩＣカード１１０に自装置を識別する端末情報５００を書き込むことにより、ユーザデータ転送先（受信側）の通信端末装置６００のＩＤ情報読込み部６０１は、ＩＣカード１１０から通信端末装置４００の端末情報５００を即座に取得して、短時間でセッションを確立することができるので、ユーザデータ転送時間を短縮することができる。
【００７２】
なお、ユーザデータ転送元（送信側）の通信端末装置の送信側セッション確立部１０５は、端末情報記憶部４０１が記憶している端末情報５００と、受信側の通信端末装置６００から通知された端末情報５００とを比較して認証処理もしくは認証処理の一部を行っても良い。
【００７３】
また、ユーザデータ転送元（送信側）の通信端末装置１００，４００のユーザデータ送信部１０６は、送信が完了したユーザデータを削除しても良いし、ユーザデータ送信部１０６は、ユーザデータ転送先（受信側）の通信端末装置２００，６００からの受信完了通知を受信した後でユーザデータを削除しても良い。このようにすることで、同一のユーザデータが、ユーザデータ転送元（送信側）の通信端末装置及び、ユーザデータ転送先（受信側）の通信端末装置の双方に二重に格納されるのを回避し、メモリ領域を有効に活用することができる。
【００７４】
さらには、一つの通信端末装置が、ユーザデータ転送元（送信側）の通信端末装置が具備する各部及びユーザデータ転送先（受信側）の通信端末装置が具備する各部を備え、ＩＣカード１１０が取り外されたことを検出した場合に、ユーザデータを送信する準備状態である送信スタンバイモードに移行する一方、ＩＣカード１１０が装着されたことを検出した場合に、ユーザデータを受信する準備状態である受信スタンバイモードに移行するようにしてもよい。例えば、ＩＣカード１１０を抜き差しして再度通信端末装置１００を使用する場合に、ＩＣカード１１０が取り外された通信端末装置２００からＩＣカード１１０が再び装着された通信端末装置１００に、ユーザデータを転送することができるので、ユーザは今まで使用していた通信端末装置２００のユーザデータを継承した通信端末装置１００を使用することができるようになる。
【００７５】
本実施の形態において、ユーザ情報記憶部１０２、ＩＣカード脱離検知部１０３等の各機能ブロックは典型的には集積回路であるＬＳＩとして実現される。これらは個別に１チップ化されても良いし、一部又は全てを含むように１チップ化されても良い。
【００７６】
ここでは、ＬＳＩとしたが、集積度の違いにより、ＩＣ、システムＬＳＩ、スーパーＬＳＩ、ウルトラＬＳＩと呼称されることもある。
【００７７】
また、集積回路化の手法はＬＳＩに限るものではなく、専用回路又は汎用プロセッサで実現してもよい。ＬＳＩ製造後に、プログラムすることが可能なＦＰＧＡ（Field ProgrammableGate Array）や、ＬＳＩ内部の回路セルの接続や設定を再構成可能なリコンフィギュラブル・プロセッサーを利用しても良い。
【００７８】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【００７９】
本発明に係る通信システム、通信端末装置、及びデータ転送方法は、転送データ容量の制限を緩和しつつ、容易な操作で異なる通信端末装置間でユーザデータを転送することができ、例えば、携帯電話機やＰＤＡ等に有用である。またＴＶや携帯プレイヤ等のデジタル家電の用途にも応用できる。
【図面の簡単な説明】
【００８０】
【図１】本発明の実施の形態１に係る通信システムの構成の一例を示す図
【図２】ユーザ情報の構成の一例を示す図
【図３】実施の形態１におけるユーザデータ転送元（送信側）の通信端末装置の要部構成を示すブロック図
【図４】ユーザ情報記憶部の動作の一例を示すフローチャート図
【図５】ＩＣカード脱離検知部の動作の一例を示すフローチャート図
【図６】送信側スタンバイ制御部の動作の一例を示すフローチャート図
【図７】実施の形態１におけるユーザデータ転送先（受信側）の通信端末装置の要部構成を示すブロック図
【図８】ＩＣカード装着検知部及びＩＤ情報読込み部の動作の一例を示すフローチャート図
【図９】本発明の実施の形態２におけるユーザデータ転送元（送信側）の通信端末装置の要部構成を示すブロック図
【図１０】端末情報の一例を示す図
【図１１】ＩＣカード着脱検知部及び端末情報書込み部の動作の一例を示すフローチャート図
【図１２】端末情報の別の例を示す図
【図１３】端末情報の別の例を示す図
【図１４】端末情報書込み部の動作の一例を示すフローチャート図
【図１５】実施の形態２におけるユーザデータ転送先（受信側）の通信端末装置の要部構成を示すブロック図
【図１６】ＩＤ情報読込み部の動作の一例を示すフローチャート図
【図１７】補助情報の一例を示す図
【図１８】スタンバイ通知部の動作の一例を示すフローチャート図
【符号の説明】
【００８１】
１１０ａ〜１１０ｃ  ネットワーク
１００，４００  ユーザデータ転送元（送信側）の通信端末装置
１０２  ユーザ情報記憶部
１０３  ＩＣカード脱離検知部
１０４  送信側スタンバイ制御部
１０５  送信側セッション確立部
１０６  ユーザデータ送信部
１０７、２０６  方位検出部
１０８  ワイヤレス電力受給部
１１０  ＩＣカード
２００，６００  ユーザデータ転送先（受信側）の通信端末装置
２０１  ＩＣカード装着検知部
２０２，６０１  ＩＤ情報読込み部
２０３，６０２  スタンバイ通知部
２０４  受信側セッション確立部
２０５  ユーザデータ受信部
４０１  端末情報記憶部
４０２  ＩＣカード着脱検知部
４０３  端末情報書込み部
【図１】
2009124429.tif 000003
【図２】
2009124429.tif 000004
【図３】
2009124429.tif 000005
【図４】
2009124429.tif 000006
【図５】
2009124429.tif 000007
【図６】
2009124429.tif 000008
【図７】
2009124429.tif 000009
【図８】
2009124429.tif 000010
【図９】
2009124429.tif 000011
【図１０】
2009124429.tif 000012
【図１１】
2009124429.tif 000013
【図１２】
2009124429.tif 000014
【図１３】
2009124429.tif 000015
【図１４】
2009124429.tif 000016
【図１５】
2009124429.tif 000017
【図１６】
2009124429.tif 000018
【図１７】
2009124429.tif 000019
【図１８】
2009124429.tif 000020